(57)【特許請求の範囲】
【請求項１】
第一のインダクタンス素子と第一の容量素子とからなり、両端にテレビジョンの中間周波信号または１０．７ＭＨｚに周波数変換されたＦＭ放送信号が入力されるとともに前記両端間に負荷が接続される並列同調回路と、第二のインダクタンス素子と第二の容量素子とからなり、前記並列同調回路に並列接続された直列同調回路と、前記第二の容量素子に並列接続されるとともに前記中間周波信号の入力時に閉状態、前記ＦＭ放送信号の入力時に開状態に設定されるスイッチ手段とを備え、前記並列同調回路と前記直列同調回路の各同調周波数をともに１０．７ＭＨｚ以上に設定し、前記スイッチ手段の閉状態における前記並列同調回路と前記直列同調回路とによる並列同調周波数を前記中間周波信号の周波数となるように設定し、前記スイッチ手段の開状態における前記並列同調周波数を１０．７ＭＨｚとなるように設定したことを特徴とするテレビジョンチューナの中間周波同調回路。
【請求項２】
直列接続された二つの第一の小インダクタンス素子によって前記第一のインダクタンス素子を構成するとともに前記二つの第一の小インダクタンス素子同士の接続点に第一の電圧を印加し、分割された二つの第二の小インダクタンス素子によって前記第二のインダクタンス素子を構成するとともに前記第二の容量素子を前記二つの第二の小インダクタンス素子の間に接続し、カソード同士が互いに接続された第一及び第二のスイッチダイオードによって前記スイッチ手段を構成し、前記中間周波信号が入力されたときは前記第一及び第二のスイッチダイオードの接続されたカソードの電圧を前記第一の電圧以下に設定して前記第一及び第二のスイッチダイオードをオンにし、前記ＦＭ放送信号が入力されたときは前記接続されたカソードの電圧を前記第一の電圧以上に設定して前記第一及び第二のスイッチダイオードをオフにしたことを特徴とする請求項１に記載のテレビジョンチューナの中間周波同調回路。
【請求項３】
前記並列同調回路の一端を前記負荷の一端に結合する第一のバラクタダイオードと、前記並列同調回路の他端を前記負荷の他端に結合する第二のバラクタダイオードとを設け、前記第一のバラクタダイオードのアノードを前記並列同調回路の一端に接続するとともに、前記第二のバラクタダイオードのアノードを前記並列同調回路の他端に接続し、前記中間周波信号が入力されたときは前記第一及び第二のバラクタダイオードの各カソードの電圧を前記第一の電圧以下に設定して前記第一及び第二のバラクタダイオードをオンにし、前記ＦＭ放送信号が入力されたときは前記各カソードの電圧を前記第一の電圧以上に設定して前記第一及び第二のバラクタダイオードをオフにしたことを特徴とする請求項２に記載のテレビジョンチューナの中間周波同調回路。
【発明の詳細な説明】
【０００１】
【発明の属する技術分野】
本発明はテレビジョンチューナの中間周波同調回路に関し、特に、Ｍ放送信号を受信可能としたテレビジョンチューナの中間周波同調回路に関する。
【０００２】
【従来の技術】
図８に従って従来のテレビジョンチューナの中間周波同調回路を説明すると、混合器２１はテレビジョンの中間周波信号又は１０．７ＭＨｚに周波数変換されたＦＭ放送信号を出力する。混合器２１には第一のフィルタ２２と第二のフィルタ２３とが接続される。第一のフィルタ２２は並列同調回路で構成され、その同調周波数はテレビジョンの中間周波信号の周波数（米国仕様の中心周波数では４３．５ＭＨｚ）に一致値させている。また、第二のフィルタ２３はセラミックフィルタで構成され、その同調周波数は一般のＦＭ受信機の中間周波数（１０．７ＭＨｚ）に一致させている。
【０００３】
そして、テレビジョン信号を受信したときは、混合器２１から出力されたテレビジョンの中間周波信号が第一のフィルタ２２を通過し、図示しない次段の回路（中間周波増幅器など）に入力される。
また、ＦＭ放送信号を受信したときは、混合器２１から出力された１０．７ＭＨのＦＭ放送信号が第二のフィルタ２３通過して図示しないＦＭ復調器などに入力される。
【０００４】
【発明が解決しようとする課題】
以上のように、従来のテレビジョンチューナの中間周波同調回路では二つのフィルタを設けていたが、ＦＭの中間周波信号用の第二のフィルタ２３はセラミックフィルタで構成されているので形状的に大きくなり、且つ高価であった。
【０００５】
そこで、本発明は、テレビジョンの中間周波信号と１０．７ＭＨｚに周波数変換されたＦＭ放送信号との双方に共用できる小型且つ安価なテレビジョンチューナの中間周波同調回路を実現することを目的とする。
【０００６】
上記課題の解決のため、本発明のテレビジョンチューナは、第一のインダクタンス素子と第一の容量素子とからなり、両端にテレビジョンの中間周波信号または１０．７ＭＨｚに周波数変換されたＦＭ放送信号が入力されるとともに前記両端間に負荷が接続される並列同調回路と、第二のインダクタンス素子と第二の容量素子とからなり、前記並列同調回路に並列接続された直列同調回路と、前記第二の容量素子に並列接続されるとともに前記中間周波信号の入力時に閉状態、前記ＦＭ放送信号の入力時に開状態に設定されるスイッチ手段とを備え、前記並列同調回路と前記直列同調回路の各同調周波数をともに１０．７ＭＨｚ以上に設定し、前記スイッチ手段の閉状態における前記並列同調回路と前記直列同調回路とによる並列同調周波数を前記中間周波信号の周波数となるように設定し、前記スイッチ手段の開状態における前記並列同調周波数を１０．７ＭＨｚとなるように設定した。
【０００７】
また、直列接続された二つの第一の小インダクタンス素子によって前記第一のインダクタンス素子を構成すると共に、前記二つの第一の小インダクタンス素子同士の接続点に第一の電圧を印加し、分割された二つの第二の小インダクタンス素子によって前記第二のインダクタンス素子を構成すると共に、前記第二の容量素子を前記二つの第二の小インダクタンス素子の間に接続し、カソード同士が互いに接続された第一及び第二のスイッチダイオードによって前記スイッチ手段を構成し、前記中間周波信号が入力されたときは前記各カソードの電圧を前記第一の電圧以下として前記第一及び第二のスイッチダイオードをオンにし、前記ＦＭ放送信号が入力されたときは前記各カソードの電圧を前記第一の電圧以上として前記第一及び第二のスイッチダイオードをオフにした。
【０００８】
また、前記並列同調回路の一端を前記負荷の一端に結合する第一のバラクタダイオードと、前記並列同調回路の他端を前記負荷の他端に結合する第二のバラクタダイオードとを設け、前記第一のバラクタダイオードのアノードを前記並列同調回路の一端に接続すると共に、前記第二のバラクタダイオードのアノードを前記並列同調回路の他端に接続し、前記中間周波信号が入力されたときは前記第一及び第二のバラクタダイオードの各カソードの電圧を前記第一の電圧以下として前記第一及び第二のバラクタダイオードをオンにし、前記ＦＭ放送信号が入力されたときは前記各カソードの電圧を前記第一の電圧以上として前記第一及び第二のバラクタダイオードをオフにした。
【０００９】
【発明の実施の形態】
図１乃至図７に図示の回路図及び特性図を用いて、本発明によるテレビジョンチューナの中間周波同調回路について説明する。
図１において、入力端１、２には混合回路３の出力端が接続される。混合回路３は、その出力端にテレビジョンの中間周波信号（以下、この信号をＴＶ中間周波信号という）またはは１０．７ＭＨｚに周波数変換されたＦＭ放送信号（以下、この信号をＦＭ中間周波信号という）を出力する。ＴＶ中間周波信号及びＦＭ中間周波信号は平衡出力され、入力端１、２間に入力される。
【００１０】
入力端１、２間には並列同調回路４と直列同調回路５とが並設される。並列同調回路４は第一のインダクタンス素子４ａ及び第一の容量素子４ｂを有し、その同調周波数は１０．７ＭＨｚよりも高く（およそ２０ＭＨｚ）なるように設定されている。第一のインダクタンス素子４ａは直列接続された二つの第一の小インダクタンス素子４ａ１、４ａ２からなり、互いのインダクタンスは同じとなっている。そして、第一の小インダクタンス素子４ａ１、４ａ２の接続点には第一の電圧Ｖ１が印加される。
【００１１】
直列同調回路５は第二のインダクタンス素子５ａを構成する二つの分割された第二の小インダクタンス素子５ａ１、５ａ２と第二の容量素子５ｂとからなり、第二の容量素子５ｂが二つの第二の小インダクタンス素子５ａ１、５ａ２の間に接続される。そして、直列同調回路５同調周波数も１０．７ＭＨｚより高く（およそ３０ＭＨｚ）なるように設定されている。
【００１２】
第二の容量素子５ｂの両端間にはスイッチ手段６である第一のスイッチダイオード６ａと第二のスイッチダイオード６ｂとが直列に接続される。第一のスイッチダイオード６ａのアノードは第二の容量素５ｂの一端に接続され、第二のスイッチダイオード６ｂのアノードは第二の容量素子５ｂの他端に接続される。この結果、第一及び第二のスイッチダイオード６ａ、６ｂの各アノードは直列接続された第一の小インダクタンス素子４ａ１、４ａ２の接続点に直流的に接続される。
【００１３】
そして、第一のスイッチダイオード６ａのカソードと第二のスイッチダイオード６ｂのカソードとは互いに接続されて抵抗７を介して切替手段８の可動接点８ａに接続される。切替手段８の一方の固定接点８ｂには第一の電圧よりも高い第二の電圧Ｖ２が与えられ、他方の固定接点８ｃは接地される。可動接点８ａは、テレビジョン信号を受信するとき、即ち混合器３らＴＶ中間周波信号が出力されるときは固定接点８ｂに接続され、ＦＭ放送信号を受信するとき、即ち混合器３らＦＭ中間周波信号が出力されるときは固定接点８ｃに接続される。
【００１４】
また、並列同調回路４の一端には第一のバラクタダイオード９のアノードが接続され、他端には第二のバラクタダイオード１０のアノードが接続される。この結果、第一及び第二のバラクタダイオード９、１０の各アノードは直列接続された第一の小インダクタンス素子４ａ１、４ａ２の接続点に直流的に接続される。そして、第一のバラクタダイオード９のカソードが出力端１１に接続されると共に、抵抗１２を介して切替手段８の可動接点８ａに接続される。また、第二のバラクタダイオード１０のカソードが出力端１３に接続されると共に、抵抗１４を介して可動接点８ａに接続される。
【００１５】
以上の構成において、テレビジョン信号を受信するときは第一及び第二のスイッチダイオード６ａ、６ｂがオンして第二の容量素子５ｂの両端が短絡され、一方、第一及び第二のバラクタダイオード９、１０オンするので、その等価回路は図２に示すように第一の容量素子４ｂとインダクタンス素子１５とが並列に接続さた並列同調回路１６となる。
出力端１１、１３の間には図示しない負荷回路が接続される、
【００１６】
ここで、インダクタンス素子１５は第一のインダクタンス素子４ａと第二のインダクタンス素子５ａとの並列回路に等価である。このときの並列同調周波数はＴＶ中間周波信号の周波数となるように設定される。例えば、米国の仕様では４３．５ＭＨｚである。
そして、並列同調回路１６のＱを示す同調特性は混合器３の出力インピーダンス及び次段に接続される負荷回路の入力インピーダンスに依存するが、図３のように、バンド幅がおよそ７ＭＨｚ（ピークから３ｄＢ下がった点の幅）となってＴＶ中間周波信号の伝送に適するものとなる。
【００１７】
一方、ＦＭ放送信号受信時では、第一及び第二のスイッチダイオード６ａ、６ｂがオフとなり、第一及第二のバラクタダイオード９、１０がオフとなるので、等価回路は図４に示したようになり、第一及び第二のバラクタダイオード９、１０は第一及び第二の電圧によって決まる所定の容量値を呈する。
【００１８】
ここで、並列同調回路４の同調周波数をＦ１とし、直列同調回路５の同調周波数をＦ２とすると、それらのアドミッタンス特性はそれぞれ図５Ａの実線Ｙ１と点線Ｙ２のように示される。
従って、アドミッタンスＹ１とＹ２とを図５Ａ上で加算すると、トータルのアドミッタンスＹが得られ、それは図５Ｂの実線Ｙのようになり、同調周波数Ｆ１、Ｆ２よりも低い周波数Ｆ０にアドミッタンスが０となる点が現れる。この位置は並列同調回路４と直列同調回路５とによる並列同調周波数であり、これを１０．７ＭＨｚとなるように設定する。
【００１９】
そして、１０．７ＭＨｚにおいては、直列同調回路５が等価的に容量性となるので、第一の容量素子４ｂと加算され、同調容量は大きくなる。さらに、第一及び第二のバラクタダイオード９、１０が所定の容量値を呈するので、次段の負荷回路の入力インピーダンスの影響が少なくなり、Ｑを示す同調特性は図６に示すように急峻となり、バンド幅はおよそ３７０ＫＨｚ程度になる。従って、周波数が近接している他のＦＭ放送信号からの妨害を受けにくくすることが出来る。
【００２０】
なお、図１において、第一及び第二のバラクタダイオード９、１０を削除して入力端１と出力端１１とを直結し、同様に、入力端２と出力端１３とを直結してもよい。この場合は、次段の負荷回路が並列同調回路４及び直列同調回路５に直接接続されるので回路Ｑが若干小さくなり、図７に示すように、バンド幅がおよそ２．９ＭＨｚ程度の同調特性となる。この場合でもバンド幅が狭くなるので、ＦＭ放送信号の受信適したものとなる。
【００２１】
さらに、一方の入力端２と一方の出力端１３とを接地すれば不平衡のＩＦ同調回路が構成できる。この場合は第二のスイッチダイオードと第二のバラクタダイオード１０が不要となる以外に、第一のインダクタンス素子４ａ、第二のインダクタンス素子を二つの第二の小インダクタンス素子に分割する必要もない。ただし、第一のスイッチダイオードと第一のバラクタダイオードとに電圧を印加するための配線を変更する必要がある。
【００２２】
【発明の効果】
以上のように、本発明のテレビジョンチューナの中間周波同調回路は、テレビジョンの中間周波信号又は１０．７ＭＨｚに周波数変換されたＦＭ放送信号が両端に入力される並列同調回路と、並列同調回路に並列に接続された直列同調回路と、直列同調回路の第二の容量素子に並列に接続されると共に中間周波信号の入力時に閉状態、ＦＭ放送信号の入力時に開状態とされるスイッチ手段とを備え、並列同調回路と直列同調回路との各同調周波数を１０．７ＭＨｚ以上に設定し、スイッチ手段の閉状態における並列同調回路と直列同調回路とによる並列同調周波数を中間周波信号の周波数となるように設定し、スイッチ手段の開状態における並列同調周波数を１０．７ＭＨｚとなるように設定したので、スイッチ手段の開閉によって１０．７ＭＨのＦＭの中間周波信号周波数又は通常のテレビジョンの中間周波信号周波数に同調させることが出来る。従って、回路が簡素化されると共に、安価に構成できる。また、ＦＭの中間周波信号周波数に同調させた場合は、直列同調回路が容量性となるので、同調特性が急峻となって周波数が隣接するＦＭ放送信号による妨害がなくなる。
【００２３】
また、二つの第一の小インダクタンス素子によって第一のインダクタンス素子を構成すると共に、二つの第一の小インダクタンス素子同士の接続点に第一の電圧を印加し、分割された二つの第二の小インダクタンス素子によって第二のインダクタンス素子を構成すると共に、第二の容量素子を二つの第二の小インダクタンス素子の間に接続し、カソード同士が互いに接続された第一及び第二のスイッチダイオードによってスイッチ手段を構成し、中間周波信号が入力されたときは各カソードの電圧を第一の電圧以下として第一及び第二のスイッチダイオードをオンにし、ＦＭ放送信号が入力されたときは各カソードの電圧を第一の電圧以上として第一及び第二のスイッチダイオードをオフにしたので、同調周波数の切替は簡単になると共に平衡回路で構成できる。
【００２４】
また、並列同調回路の一端を負荷の一端に結合する第一のバラクタダイオードと、並列同調回路の他端を負荷の他端に結合する第二のバラクタダイオードとを設け、中間周波信号が入力されたときは第一及び第二のバラクタダイオードの各カソードの電圧を第一の電圧以下として第一及び第二のバラクタダイオードをオンにし、ＦＭ放送信号が入力されたときは各カソードの電圧を第一の電圧以上として第一及び第二のバラクタダイオードをオフにしたので、ＦＭ放送信号の受信時では第一及び第二のバラクタダイオードが所定の容量値を持ち、負荷回路との結合が粗となって同調特性はさらに急峻となる。
【図面の簡単な説明】
【図１】本発明のテレビジョンチューナの中間周波同調回路の構成を示す回路図である。
【図２】本発明のテレビジョンチューナの中間周波同調回路におけるテレビジョン信号受信時の等価回路図である。
【図３】本発明のテレビジョンチューナの中間周波同調回路におけるテレビジョン信号受信時の同調特性図である。
【図４】本発明のテレビジョンチューナの中間周波同調回路におけるＦＭ放送信号受信時の等価回路図である。
【図５】本発明のテレビジョンチューナの中間周波同調回路におけるＦＭ放送信号受信時のアドミッタンス特性図である。
【図６】本発明のテレビジョンチューナの中間周波同調回路におけるＦＭ放送信号受信時の同調特性図である。
【図７】本発明のテレビジョンチューナの中間周波同調回路におけるＦＭ放送信号受信時の同調特性図である。
【図８】従来のテレビジョンチューナの中間周波同調回路の構成を示す回路図である。
【符号の説明】
１、２  入力端
３  混合回路
４  並列同調回路
４ａ  第一のインダクタンス素子
４ａ１、４ａ２  第一の小インダクタンス素子
４ｂ  第一の容量素子
５  直列同調回路
５ａ  第二のインダクタンス素子
５ａ１、５ａ２  第二の小インダクタンス素子
５ｂ  第二の容量素子
６  スイッチ手段
６ａ  第一のスイッチダイオード
６ｂ  第二のスイッチダイオード
７、１２、１４  抵抗
８  切替手段
８ａ  可動接点
８ｂ、８ｃ  固定接点
９  第一のバラクタダイオード
１０  第二のバラクタダイオード
１１、１３  出力端
１５  インダクタンス素子
１６  並列同調回路
【図１】
0003943805.tif 000002
【図２】
0003943805.tif 000003
【図３】
0003943805.tif 000004
【図４】
0003943805.tif 000005
【図５】
0003943805.tif 000006
【図６】
0003943805.tif 000007
【図７】
0003943805.tif 000008
【図８】
0003943805.tif 000009